【手続補正書】
【提出日】令和1年9月6日(2019.9.6)
【手続補正１】
【補正対象書類名】明細書
【補正対象項目名】全文
【補正方法】変更
【補正の内容】
【発明の詳細な説明】
【発明の名称】制御ユニットのための取り外し可能なカバー
【技術分野】
【０００１】
本発明は、特にゲームコンソールまたはＰＣ（パーソナルコンピュータ）のコントローラ用の入力装置を備えた制御ユニットのための取り外し可能なカバーに関する。
【背景技術】
【０００２】
特にゲームコンソールまたはＰＣのコントローラのようなプログラムの技術的行程の制御のための制御ユニットは、各使用者によって頻繁に集中的に長時間使用される。なお、本願では、特にしばしば数時間に渡ってその趣味に打ち込みビデオゲームまたはコンピュータゲームに興じるゲームコンソールおよびＰＣの使用者を例に説明する。例えばいわゆるＬＡＮパーティが開催されると、コンピュータゲームのプレイヤーは、連日数時間に渡ってネットワーク化されたコンピュータでゲームを実施し、ゲームに対応した制御ユニットを、操作のために継続して使用し操作する。
【０００３】
この種の典型的な制御ユニットは、２つのグリップ部分、および、それら２つのグリップ部分に接続された中央部分を有するクロワッサンに似た形状で構成される。グリップ部分はゲームの間それぞれ使用者の手によって握られて保持される。十字キー、ボタン、スイッチおよびいわゆるアナログスティックのような各入力装置は、親指や人差し指で、部分的には両手の他の指で操作され、ゲーム行程を操作しゲームを進行させる。
【０００４】
環境温度、および、各制御ユニットと手との接触だけでなく、ゲームの際に生じるプレイヤーの緊張によっても頻繁に手の平で多く発汗されることが問題となる。この発汗によってプレイヤーは、確実な掌握ができなくなり、制御ユニットのプラスチック表面に対して、頻繁に迅速な操作手順の実行、および、各入力装置（ボタン、スイッチ、十字キーおよびアナログスティック等）の様々な作動を実施する制御命令を、確実に実施できなくなる。そして、ゲームのコントロール力が低下し、例えばコンピュータまたはビデオゲームに導入された主人公および登場人物を適切にコントロールができなくなる。この状況を多くの利用者やプレイヤーが非常に煩わしく感じている。
【０００５】
このような手の平に生じる汗は、制御ユニットの材料にとっても有害であり、その表面が損傷されるだけでなく、特に汗が入力装置内に侵入した場合、または、汗が制御ユニットのハウジング内に侵入した場合には、装置自体の損傷の原因となり、誤動作を招くことがある。このような場合には、新しい制御ユニットを調達する必要が生じるだけでなく、プレイヤーが実質的にゲームの操作に必要な制御およびコントロールを実行できなくなった場合には、そのゲームの突然の終了に繋がりかねないため、プレイヤーにとっては最大限に不本意である。そのため、多くの集中型プレイヤーは、このような故障の場合に備えて予備の制御ユニットを予め用意している。
【０００６】
ここで、上述の問題に対処するために、制御ユニットのよりよい掌握を考慮し、ある程度の汗吸収機能を奏する取外可能なカバーが提案されている。例えば特許文献１には、そのような制御ユニット用に、操作の際の制御ユニットの掌握感を改善し、発生する手の水分を必要に応じて受け止めるグリップ領域のカバーが提案されている。このカバーは、靴下のように制御ユニットのグリップに被せられ、伸張可能な弾性材料で構成されている。代替的に相応のカバーが蓋のような部材として形成され、そのカバーを制御ユニットのグリップ部分の周りに取り付けられることもできる。この材料はこの文献に開示されたカバーの変形例によると、洗浄可能に構成できるという。
【０００７】
制御ユニット用の取外可能なカバーの他の例は、特許文献２に開示されている。この文献に開示されたカバーは、表面が弾性を有する材料で成形され、多層に構成されていることが好ましい。この場合、一番上でかつ一番外にある層は、綿、ジャージおよびナイロン等の一般的に衣料品の分野で用いられる材料で形成される。中間の層は、圧縮力が作用した後に復元可能な弾性材料によって形成され、この層は発泡した柔軟な合成樹脂材料にて形成されることが好ましく、具体的な材料としてネオプレン（登録商標）が挙げられている。代替可能な材料としては、イソプレン等が言及されている。この文献には、カバーが形成される材料が、特にダイビングスーツおよびウエットスーツの製造において公知であることが記載されている。第３層は、制御ユニットのハウジングとの滑り止め作用を奏する材料で形成された内側の層とされている。そして、この文献で開示されたカバーも取り外し可能で洗浄可能である。
【０００８】
さらに、特許文献３は、外側のカバー層と、電気機器に対して研磨や洗浄作用を有しプリーツ形状の部分を有する弾性マイクロファイバー内層と、これら外側のカバー層と弾性マイクロファイバー内層との間に配置された電気機器の物理的保護のための補強部材とを有する電気機器用カバーが開示されている。
【０００９】
さらに、特許文献４および特許文献５は、ネット状緩衝材が表面および身体の湿度の受容、吸収および場合によっては排出に特に適していることが開示されている。
【先行技術文献】
【特許文献】
【００１０】
【特許文献１】欧州特許第１０６４０５８号明細書
【特許文献２】欧州特許出願公開第０９９７１７４号明細書
【特許文献３】英国特許出願公開第２４９８５６７号明細書
【特許文献４】独国特許第１９６３５１７０号明細書
【特許文献５】独国特許出願公開第４３１８５００号明細書
【発明の概要】
【発明が解決しようとする課題】
【００１１】
予め公知の取り外し可能なカバーがすでに、制御ユニットの使用との関連で発生する上述されたような問題の核心に向けられているにも関わらず、それらのカバーは、上述の問題をまだ完全に満足できるやり方で解決できていない。これは結局、挙げられた文献およびその中で記述された技術的発展に属する製品が市場に現れていないことからも明らかである。つまり、ここには依然として、相応の取り外し可能なカバーをその使用の快適さおよび特に吸湿作用という観点で改善し、それによって使用しやすい形を作るための改良の必要性がある。
【課題を解決するための手段】
【００１２】
本発明はこの課題を解決する。ここでの本発明による取り外し可能なカバーは、入力装置を有する制御ユニット、特にゲームコンソールまたはＰＣ用のコントローラのための、形状の観点から制御ユニットのカバーされるべき領域の形に対応して密着するように適合し、少なくとも繊維外側カバー層および弾性吸湿層を有し、弾性吸湿層がメッシュ状緩衝材または織布緩衝材によって形成されるようにさらに発展した多層面材料から成る。
【００１３】
弾性吸湿層という観点での弾性は、ここでは特にこの層が面法線方向に弾性であることを意味する。必ずしもそうでなくてもよいが、弾性は少なくとも層の面の中にある一方向を含むこともありうる。
【００１４】
メッシュ状緩衝材または織布緩衝材は、糸またはフィラメントから製造された通常繊維の性質を有する布製品であり、これは網目により、特にネットまたはニット、または織物技術により形成され、２面に形成されて織られた、または網目状に形成された層および少なくとも１つのこれらの層の間に挿入され、これらの層を互いに結びつけるとともに間隔を維持する糸緩衝材が形成される。糸緩衝材は、比較的硬質な糸であり多くは合成樹脂材料から成り、一方では２つの面の間隔を維持し、もう一方でそれ自体である程度の弾性を有し、そのため弾性が全材料の面法線に相関して生じるガラス繊維からも成る。このような材料の一例は欧州特許出願公開第１７４８０９７号明細書に記載されている。このような材料は典型的にマットレスカバー、椅子カバーまたはここでは特にいわゆる車のルーフと呼ばれる車両内部空間の内張りに使用される。
【００１５】
本発明の本質的な知見は、メッシュ状緩衝材または織布緩衝材をそれ自体異種の方法で制御ユニット用カバー形成に利用することにある。これが行われるのは発明者がこのような布地がそのために特に適合した際立った性質を最終生産物にもたらすことを認識したからである。そのような布地には一方で高い通気性と吸湿性があるため、もう一方でその面法線の方向への弾性およびその他の固有の特徴により際立った触覚が、同時にこの布地で相応に形成された層の比較的僅かな厚さにおいてもたらされる。また、１つには吸湿性という観点から非常に効率的で効果的なカバーを得ることができ、もう１つには比較的僅かな層厚に形成できるため、入力ユニットの操作の快適さが損なわれず、むしろ吸湿効果および良好な通気により、このカバーが装着された制御ユニットの保持感および操作感を向上できる。
【００１６】
基本的に、本発明の取り外し可能なカバーを構成する面素材の多層的あるいは複数層の構造という観点から、繊維外側カバー層は、メッシュ状緩衝材または織布緩衝材のカバー層によって構成される。但し本発明では、繊維外側カバー層を別個のメッシュ状緩衝材または織布緩衝材の外面上に設けられた繊維層によって構成することも可能であり、この構成が好ましい場合もある。なぜならこのような方法で形成されたこの繊維外側カバー層は、カバーの外側に向けられたメッシュ状緩衝材または織布緩衝材の外面形成の際に、与えられる限定および基本的条件に関わらず形成できるからである。このようにして繊維外側カバー層は特に、それらが特に心地よい触感を生み、さらにカバーの吸湿効果が高まるように形成されることができる。これは例えば繊維外側カバー層が例えばタオル地のようにループパイル状の繊維であることで生じうる。このような繊維は、その特に良好な吸湿性を奏する。繊維外側カバー層もマイクロファイバーから形成されるか、またはマイクロファイバーを有する構成にしてもよい。なぜならこのマイクロファイバーも良好な吸湿性を奏するためである。
【００１７】
取り外し可能なカバーの制御ユニットに対して滑りにくくより確実に装着するために、カバーは、外側カバー層に向かい合うようにして最も内側に位置し、カバーが被せられるべき表面に対して滑ることを防止する粘着層を有する構成にしてもよい。そのような粘着層は、例えば必ずしもそうでなくてもよいが、連続して平たく形成されうるゴム引きで構成してもよい。例えば規則的にまたは不規則的に配置された点や波型を描く線等の特定の構造および模様のみに構成されたゴム引きまたは類似の粘着材料も考えられる。
【００１８】
本発明の取り外し可能なカバーは、特にメッシュ状緩衝材または織布緩衝材で構成される弾性吸湿層である多層面材料で受容された水分が制御ユニットまで浸透し、場合によってはその中に侵入することを防止するため、弾性吸湿層における外側カバー層とは反対側面上に配置される水分不透過層が設けられる。この水分不透過層は、バリアのように作用し繊細な制御ユニットを、水分との接触、特に上述したように制御ユニットのハウジングの表面の侵食に始まり制御ユニットの中にある繊細な電気部材の腐食に至る制御ユニットの深刻な故障を招きかねない手の汗から保護する。そのような防湿層の１つは、カバー内部にも適用でき、本発明で使用されるべき前記メッシュ状緩衝材または前記織布緩衝材とは別の材料、例えば従来技術として挙げた発泡材料または類似の材料にて形成される吸湿弾性層が有する利点も同様に奏する。水分不透過層は、多層面材料の層の上に塗布された被膜層により、またはフィルムや膜によって形成されて、多層面材料の中に包接される。この水分不透過層のための材料としては、この層が被膜層として形成される場合に、特にポリウレタン（ＰＵ）が好ましい。
【００１９】
本発明のカバーは、カバーが制御ユニット上に取り付けられた状態において、制御ユニットの入力装置の一部を覆うように形成されることが好ましい。特に例えば十字キーやその他のボタンまたはスイッチ等の制御ユニットにおける繊細なスイッチまたはボタンが補助的に保護され、水分、特に手の汗の侵入を防止できる。入力装置をこのようにして覆うことによって、特にメッシュ状緩衝材または織布緩衝材を適用することにより、カバーが比較的僅かな強度あるいは厚さであるため、入力装置が、制御ユニットの使用者にとって引き続き保持あるいは入力可能であるとともに、入力装置がカバーに覆われていても機能あるいは操作が制限されることなく操作可能である。特に被覆されない状態で使用者により操作されることが想定されるアナログスティックのような入力装置が被覆されないように、カバーはその入力装置に対応した凹部を有する。同様に例えばデータケーブルまたは充電ケーブルのプラグ接続が設けられる領域には、覆われないように対応した凹部を設けることができる。
【００２０】
さらにカバーは、カバーにおける制御ユニット上に取り付けられた状態で制御ユニットの入力装置を覆う領域にて、覆われた制御ユニットをその状況により、好ましくはその種類によっても表示するマーキングを有する構成が好ましい。このマーキングは特にカラーのマーキングおよび触覚で知覚できるマーキングの少なくとも一方であることが好ましい。カラーのマーキングは、例えばグレーの濃淡または白黒でコントラストのみのもの等で構成される。これらのマーキングは、外側カバー層への印刷や、外側カバー層に編み込みや織り込み、または別の方法で外側の繊維層に設けられた糸の導入によって構成された模様や表示等にしてもよい。
【００２１】
本発明のカバーの弾性吸湿層に使用されるメッシュ状緩衝材または織布緩衝材は、例えばネット状緩衝材またはニット緩衝材にしてもよい。
【００２２】
本発明のカバーは、制御ユニットの一部が挿入される領域を有し、かつ、フラップ状に制御ユニットの他の部分の周りに周設される他の領域を有する。カバーを制御ユニット上に固定するため、カバーは、カバーによって覆われるべき制御ユニットの領域を完全に包囲した後に、カバーにて形成される継ぎ目で例えばファスナ、スナップボタン、面状ファスナ、フックおよび留め金等の着脱可能な開閉手段によって閉じるように保持される。
【００２３】
本発明のさらなる利点および特徴は、添付の図に基づいた一つの実施形態例の次の説明から明らかになる。
【図面の簡単な説明】
【００２４】
【図１】コントローラ型の制御ユニットの概略立体図である。
【図２】図１の図と比較可能な本発明のカバーが装着された制御ユニットの図である。
【図３】カバーが装着された制御ユニットの背面図である。
【図４】カバーが装着された制御ユニットの底面図である。
【図５】カバーの平面図である。
【図６】カバーの前側側面図である。
【図７】カバーが装着された制御ユニットにおいてカバーが閉じられていない状態の底面図である。
【図８】隣り合って配置されたそれぞれ制御ユニット（右）およびカバー（左）を上から見た立体図であり、カバーには制御ユニット上の入力装置の位置と一致するマーキングが付されている。
【図９】カバーの材料の層の概略断面図である。
【発明を実施するための形態】
【００２５】
図面にはその中で上記の一般的に説明された発明に関し実現可能な実施形態例が示されている。この実施形態例は、図面を参照して以下のように説明される。なお、図面は、概略的なスケッチとして理解されるべきであり、正しい寸法のものではないことをここで強調しておきたい。それらはその図示の中に必ずしも全体として具体的に細部を示すものでもない。そのような細部は、当業者が自分の専門知識で独自に補足し、図面および以下の説明に基づいて理解できるものである。
【００２６】
コントローラ１は基本的にはゲームコンソールまたはＰＣ上でのゲーム操作のために使用されるものであり、図１は、そのようなコントローラ１を立体図で再現する。ここで示されるコントローラ１は、そのコントローラ１の使用の際にコントローラ１を握って保持するために手の平を添えることができるように、２本のツノのように後ろに突き出たグリップ２を有する。様々なゲーム作用の制御のためにコントローラ１は、多くの入力装置を備えている。これには特にコントローラ１の使用者が基本的にはグリップ２を握る手の親指で操作する２つのアナログスティック３や、異なる制御ボタン５，10が含まれる（図４も参照）。制御ボタン５は、図１左に示された制御ボタン５のように例えば十字キーとして構成される。さらに入力装置として、例えば図１で示されたコントローラ１の中の図の左右にある制御ボタン５の配置の間に配置されるタッチパッド６等の他の入力装置がもうけられた構成にしてもよい。さらに例えばＵＳＢ充電ソケット等のように、コントローラ１の内部に配置されたエネルギー貯蔵器、特に蓄電池において充電電流が印加される充電ソケット４が設けられている。
【００２７】
図１で示されるようなコントローラ１は、すでに言及されたように、ゲーム行程をコンピュータまたはビデオゲームで操作および形成するために、コンピュータおよびビデオゲームにより部分的に非常に集中的に使用される。ここではこのような種類の機器が頻繁に非常に長時間に渡っても使用され、ゲームのプレイヤーは、上昇する環境温度、ゲームによって上昇するアドレナリン濃度および緊張や興奮に起因して、非常に頻繁に手が湿り、手に汗をかく。この水分は、コントローラ１のグリップ２が保持されるための把握力が損なわれる原因になるだけではなく、コントローラ１自体の潜在的な損傷にも繋がる。
【００２８】
これらを防止するために本発明は、コントローラ１上およびコントローラ１の周りに配置される、図２に示されるようなカバー７を提供する。このカバー７は、コントローラ１を引き続きその人間工学的形状で作動できプレイヤーによって固定的に把持できるようにその形状をタイトに包み込む。さらにカバー７は、図１に示される制御ボタン５およびタッチパッド６を被覆し、また、アナログスティック３が突き出してカバー７によって被覆されないようにする開口部８が設けられている。特に制御ボタン５を覆うことで、この制御ボタン５が同じように侵入する水分および手の汗から防護され、制御ボタン５はカバー７を通してプレイヤーが問題なく快適に操作を続行できる。なぜならカバー７は、一方ではタイトに密着しており、またもう一方ではその厚さにおいて十分薄く形成されているためである。それに対してアナログスティック３は、プレイヤーにより、それらがカバー７に覆われていない場合に十分に確実に操作される。
【００２９】
カバー７は、以下にまだ図９を基に説明されるように多層に形成され、図２に示され、他の図３から図８でも見分けることができるように繊維状外側表面を有し、その繊維状外側表面は、表面に対して横向きに突出する例えばタオル地のような輪または例えばマイクロファイバー布の開いた輪のようなパイルが設けられている。この繊維状外側表面は、特にそれが高い吸収性を有し生成される水分、特に手の汗を良好かつ効率的に受容し除去することができるようにその素材が選択される。
【００３０】
図３および図４は、カバー７が設けられたコントローラ１を、２つのさらなる図、すなわち１つに後ろから、つまりグリップ２側から見た図（図３）で、もう１つは下から見た図（図４）で示す。これらの図ではその上に（ここでは閉じた状態）フラップ９が設けられ、グリップ２とは反対側の前方正面に配置された制御ボタン10が判別できる。この制御ボタン10は、コントローラ１の使用中にグリップ２に添えられる手の人差し指で操作される。
【００３１】
図５および図６は、コントローラ１に装着されていない状態のカバー７を示す。カバー７は、バッグのように開口部が形成され、その中にコントローラ１がグリップ２から先に嵌め込まれるように挿入される。カバー７の型紙は、コントローラ１がカバー７に挿入される際にコントローラ１の外形がタイト密着して適合されるように構成される。入口開口部は、この実施形態例ではフラップ９によって閉じられ、面状ファスナ11がフラップ９と繋ぎ合わせられることで、フラップ９が閉じられた状態を維持する。もちろん、例えばボタン、スナップボタンおよびファスナ等の他の方法で閉塞することも可能である。但し重要なのは、カバー７を取り替え、特に長時間の使用の後に洗浄する（例えば洗濯する）ために、カバー７をコントローラ１に被せ、再び取り外すことができるように、カバー７が開口部を有しそれが開閉可能であることである。また、カバーの開口部は、同様の開口部あるいは閉鎖部がコントローラ１上に装着された状態でプレイヤーがコントローラ１を把持するグリップ領域にはみ出さず、操作の邪魔をしないように構成される。
【００３２】
カバー７の材料は、好ましくは面においてある程度の弾性を有するため、この材料が、カバーが受容し包囲するコントローラ１に伸縮してタイトにぴったりと密着し、コントローラ１自体の形状を引き続きプレイヤーが感じとることができるままである。
【００３３】
図７は、フラップ９が閉じられておらず、バッグのように開いたカバー７の中にコントローラ１がどのように挿入されるかを示す。この図では、カバー７が閉じられコントローラ１に保持されるための互いに向き合う部材であるフラップ９および面状ファスナ11が示されている。カバー７は、充電ソケット４が配置される領域に、接続プラグを有する充電ケーブルが充電ソケット４に導入できるようにもう一つの図示しない開口部を有する構成が好ましい。なお、ここで示された実施形態であれば開口部がフラップ９の中に設けられた構成にしてもよい。
【００３４】
図８は、隣り合わせに配置されたカバー７（左）およびコントローラ１（右）が示され、カバー７はマーキング12を有する。マーキング12は、カバー７の中に配置されたコントローラ１の相応な箇所に配置された入力装置、制御ボタン５およびタッチパッド６の表示としての役割を果たす。このマーキングは、カバー７の繊維表面上に印刷する方法やフロック加工する方法等で設けられる。なお、マーキングは、カバー７の繊維表面に縫い込まれるか、織り込まれるか、編み込まれることにより設けられた構成にしてもよい。
【００３５】
図９は、本発明のカバー７の構造を示すカバー７の多層的に構成された材料の概略的断面図を示す。この断面図は特に寸法に忠実ではなく、純粋に原理の図解として理解される。
【００３６】
カバーは、そのカバーの使用状態において、繊維外側カバー層13と、カバー層13の下に配置され特にカバー７の材料の面を横断する方向にも弾性を有するメッシュ状緩衝材または織布緩衝材によって形成された弾性層14と、弾性層14の下に、つまりカバー７の内側に向けて形成された吸湿層15とを有している。
【００３７】
繊維カバー層13は、弾性層14のメッシュ状緩衝材または織布緩衝材のカバー層として形成され、その限りで同様にこの層の構成要素でありうる。しかしこの繊維カバー層13は、弾性層14と別個に製造され、例えば貼り合せることで弾性層14と結合された構成にしてもよい。また繊維カバー層13は、水分を特に良好に受容し手から排除できるように例えばタオル地や、マイクロファイバーのようなパイルループや、パイルの開いたパイル糸によって形成されることが好ましい。本発明のメッシュ状緩衝材または織布緩衝材として形成される弾性層14は、水分を受容し保持できるため、このように形成されたカバー７は長時間持続する使用でも使用者の手は乾燥したまま保たれるという観点で効果的な作用を奏する。例えばポリウレタン（ＰＵ）であるポリマー材の被膜層であるか、また装着された箔または膜や貼り合わされた箔状層である吸湿層15は、弾性吸湿層14の中に吸収され保持された水分が、さらにカバー７が装着されたコントローラ１に向かって侵入することを防止する。
【００３８】
吸湿層14は、選択的に追加してもよく、本発明の実現に必ずしも必要ではない。さらにカバー７がコントローラ１から滑ってずれることを防ぐため、および、カバー７のコントローラ１上での固定的な着座を維持するために、滑り止めとして使用できる粘着構造または部材を設けてもよい。この課題は例えば水分不透過層15によって解消できる。また、例えば一貫してまたはネップ、リブおよびウェーブ等の構造で形成されることのできるゴム引きのような特別な構造または部材で構成してもよい。このような構造は図９では示されないが、そこでは一番下に示された位置、つまりカバー７の内面上に配置されうる。
【符号の説明】
【００３９】
１    コントローラ
２    グリップ
３    アナログスティック
４    充電ソケット
５    制御ボタン
６    タッチパッド
７    カバー
８    開口部
９    フラップ
10    制御ボタン
11    面状ファスナ
12    マーキング
13    繊維カバー層
14    弾性層
15    水分不透過層
【手続補正２】
【補正対象書類名】特許請求の範囲
【補正対象項目名】全文
【補正方法】変更
【補正の内容】
【特許請求の範囲】
【請求項１】
ゲームコンソールまたはＰＣのためのコントローラ用の入力装置を有する制御ユニットのための取り外し可能なカバーであって、
前記制御ユニットの覆われるべき領域の形状に対応し、
少なくとも繊維外側カバー層および弾性吸湿層を有する多層に構成され、
前記弾性吸湿層は、メッシュ状緩衝材または織布緩衝材によって形成され、これらメッシュ状緩衝材および織布緩衝材は、糸またはフィラメントから製造される布製品であり、網目により、特に織りまたは編むことにより、または織物技術により形成されたものが２層に形成されて織られるかまたは網目状の層および少なくとも一つのこれらの層の間に挿入されてこれらの層を互いに結びつけるとともに間隔を維持する糸緩衝材を有し、
前記カバーは、前記弾性吸湿層における前記繊維外側カバー層とは反対側の面上に配置され、被膜層、箔および膜のいずれかで形成された水分不透過層を有する
ことを特徴とするカバー。
【請求項２】
前記繊維外側カバー層は、前記メッシュ状緩衝材または織布緩衝材のカバー層によって形成される
ことを特徴とする請求項１記載のカバー。
【請求項３】
前記繊維外側カバー層は、別個の前記メッシュ状緩衝材または織布緩衝材の上に塗布された繊維層である
ことを特徴とする請求項１記載のカバー。
【請求項４】
前記繊維外側カバー層は、繊維で形成されたループパイルである
ことを特徴とする請求項１ないし３のいずれか一記載のカバー。
【請求項５】
前記カバーは、前記繊維外側カバー層とは反対側に配置され、前記カバーで覆うべき表面に対して滑ることを防止する粘着層を有する
ことを特徴とする請求項１ないし４のいずれか一記載のカバー。
【請求項６】
前記カバーは、前記制御ユニットに取り付けられた状態で前記制御ユニットの前記入力装置の一部を覆う
ことを特徴とする請求項１ないし５のいずれか一記載のカバー。
【請求項７】
前記カバーは、前記制御ユニットに取り付けられた状態で前記制御ユニットの入力装置を覆う領域に設けられ、前記覆われた入力装置を表示するマーキングを有し、
前記マーキングは、カラーのマーキングおよび触感で認識可能なマーキングの少なくとも一方である
ことを特徴とする請求項６記載のカバー。
【請求項８】
前記メッシュ状緩衝材または織布緩衝材は、ネット状緩衝材またはニット緩衝材である
ことを特徴とする請求項１ないし７のいずれか一記載のカバー。